(57)【特許請求の範囲】
【請求項１】
ディジタル再生データを生成する再生データ生成工程と、
生成された再生データを所定のフォーマットに従ってファイルデータに編集するデータ編集工程と、
このファイルデータの記録位置及びそのサイズに関する管理情報を生成する工程であって、前記ファイルのサイズが所定値内にある際には、そのサイズが記述される第１のファイルサイズ記述情報及びファイルサイズがゼロである旨が記述される第２のファイルサイズ記述情報を作成し、前記ファイルのサイズが所定値を越える場合には、その所定値のサイズが記述される第１のファイルサイズ記述情報及び所定値を越えた差分に相当するファイルサイズが記述される第２のファイルサイズ記述情報を管理情報として作成する管理情報生成工程と、
管理情報及びファイルデータを記録媒体の異なる領域に記録する工程と、
を具備することを特徴とする管理情報とともにデータを記録する記録方法。
【請求項２】
前記管理情報は、第１のファイルサイズ記述情報に関連してファイルを識別するファイル識別子が記述される第１のファイル識別子情報及び第２のファイルサイズ記述情報に関連してファイルを識別するファイル識別子が記述された第２のファイル識別子情報を含むことを特徴とする請求項１に記載の記録方法。
【請求項３】
前記第１及び第２のファイルサイズ記述欄情報は、８バイトを用いて両バイト順でファイルサイズが記述されることを特徴とする請求項１に記載の記録方法。
【請求項４】
前記第１及び第２のファイルサイズ記述情報には、所定値として最大のファイルサイズに相当する４, ２９４, ９６７, ３９５バイトを記述することができることを特徴とする請求項１に記載の記録方法。
【請求項５】
ディジタル再生データを生成する再生データ生成手段と、
生成された再生データを所定のフォーマットに従ってファイルデータに編集するデータ編集手段と、
このファイルデータの記録位置及びそのサイズに関する管理情報を生成する手段であって、前記ファイルのサイズが所定値内にある際には、そのサイズが記述される第１のファイルサイズ記述情報及びファイルサイズがゼロである旨が記述される第２のファイルサイズ記述情報を作成し、前記ファイルのサイズが所定値を越える場合には、その所定値のサイズが記述される第１のファイルサイズ記述情報及び所定値を越えた差分に相当するファイルサイズが記述される第２のファイルサイズ記述情報を管理情報として作成する管理情報生成手段と、
管理情報及びファイルデータを記録媒体の異なる領域に記録する記録手段と、
を具備することを特徴とする管理情報とともにデータを記録する記録装置。
【請求項６】
前記管理情報生成手段は、第１のファイルサイズ記述情報に関連してファイルを識別するファイル識別子が記述される第１のファイル識別子情報及び第２のファイルサイズ記述情報に関連してファイルを識別するファイル識別子が記述された第２のファイル識別子情報を生成することを特徴とする請求項５に記載の記録装置。
【請求項７】
前記第１及び第２のファイルサイズ記述欄情報は、８バイトを用いて両バイト順でファイルサイズが記述されることを特徴とする請求項５に記載の記録装置。
【請求項８】
前記第１及び第２のファイルサイズ記述情報には、所定値として最大のファイルサイズに相当する４, ２９４, ９６７, ２９５バイトを記述することができることを特徴とする請求項５に記載の記録装置。
【請求項９】
再生データをファイルの形式で格納した第１記録領域及び前記ファイルに関する管理情報を格納する第２記録領域であって、前記ファイルのサイズが記述される第１のファイルサイズ記述欄及び第２の記述欄を有し、前記ファイルのサイズが所定値内にある際には、第１記述欄には、そのサイズが記述されるとともに第２記述欄には、ファイルサイズがゼロである旨が記述され、前記ファイルのサイズが所定値を越える場合には、第１記述欄には、その所定サイズが記述されるとともに第２記述欄には、所定値を越えた差分に相当するファイルサイズが記述される第２の記録領域を備える記録媒体と、
第２記録領域から管理情報を読み出し、この管理情報に基づいてファイルを読み出す手段と、読み出されたファイルから連続的にデータを再現する再現手段と、
を具備することを特徴とする管理情報に従ってデータを再生する再生装置。
【請求項１０】
前記記録媒体の前記第２記録領域は、第１のファイルサイズ記述欄に関連してファイルを識別するファイル識別子が記述された第１のファイル識別子欄及び第２のファイルサイズ記述欄に関連してファイルを識別するファイル識別子が記述された第２のファイル識別子欄を有することを特徴とする請求項９に記載の再生装置。
【請求項１１】
前記記録媒体の前記第１及び第２のファイルサイズ記述欄には、８バイトを用いて両バイト順でファイルサイズが記述されることを特徴とする請求項９に記載の再生装置。
【請求項１２】
前記第１及び第２のファイルサイズ記述欄には、所定値として最大のファイルサイズに相当する４, ２９４, ９６７, ２９５バイトを記述することができることを特徴とする請求項９に記載の再生装置。
【請求項１３】
再生データをファイルの形式で格納した第１記録領域及び前記ファイルに関する管理情報を格納する第２記録領域であって、前記ファイルのサイズが記述される第１のファイルサイズ記述欄及び第２の記述欄を有し、前記ファイルのサイズが所定値内にある際には、第１記述欄には、そのサイズが記述されるとともに第２記述欄には、ファイルサイズがゼロである旨が記述され、前記ファイルのサイズが所定値を越える場合には、第１記述欄には、その所定サイズが記述されるとともに第２記述欄には、所定値を越えた差分に相当するファイルサイズが記述される第２の記録領域を備える記録媒体から再生データを再生する方法であって、
第２記録領域から管理情報を読み出し、この管理情報に基づいてファイルを読み出す工程と、
読み出されたファイルから連続的にデータを再現する工程と、
を具備することを特徴とする管理情報に従ってデータを再生する再生方法。
【請求項１４】
前記記録媒体の前記第２記録領域は、第１のファイルサイズ記述欄に関連してファイルを識別するファイル識別子が記述された第１のファイル識別子欄及び第２のファイルサイズ記述欄に関連してファイルを識別するファイル識別子が記述された第２のファイル識別子欄を有することを特徴とする請求項１３に記載の再生方法。
【請求項１５】
前記記録媒体の前記第１及び第２のファイルサイズ記述欄には、８バイトを用いて両バイト順でファイルサイズが記述されることを特徴とする請求項１３に記載の再生方法。
【請求項１６】
前記第１及び第２のファイルサイズ記述欄には、所定値として最大のファイルサイズに相当する４, ２９４, ９６７, ２９５バイトを記述することができることを特徴とする請求項１３に記載の再生方法。
【発明の詳細な説明】
【０００１】
【産業上の利用分野】
この発明は、データを管理情報と共に記録する記録方法及び記録装置、管理情報がデータと共に記録された記録媒体及び管理情報に従ってデータを再生する再生装置に係り、特に、管理情報と共に大容量データを光ディスク等の記録媒体に記録する記録方法及び記録装置、管理情報が大容量のデータと共に記録された記録媒体及び管理情報に従ってデータを再生する再生装置に関する。
【０００２】
【従来の技術】
近年、映像や音声等のデジタルデータが圧縮して記録された光ディスクからこれらのディジタルデータを再生してモニター或いはスピーカに再生する動画対応型の光ディスク再生装置が開発されつつある。今後、このような光ディスク再生装置の開発と共に映画やカラオケをはじめとする多種多様な再生用ソフトが様々なメーカーから提供されるようになることが予想される。これらの記録データの内、特に、映像データは、そのデータサイズが膨大になることが十分に予想されているが、現在のＩＳＯ９６６０に準拠したボリューム管理方式では、４Ｇバイト（正確には、４２９４９６７２９５バイト）を越えるデータを１つのデータストリームとして扱うことができないため、２つ以上のデータストリームへの分割が余儀なくされ、映像や音声の連続再生を行う場合に不都合が生じることが十分に予想される。
【０００３】
【発明が解決しようとする課題】
このように従来のボリューム管理方式では、データサイズが４Ｇバイトを越えるデータストリームの場合２つ以上のデータストリームに分割せざるを得ないが、このデータストリームが１本の映画等である場合、再生制御及びファイル管理の上で１つのファイルとして扱えるようにすることが不可欠であるとされている。然ながら、従来のＩＳＯ９６６０に準拠したボリューム管理方式では、データサイズが４Ｇバイトを越えることを予想してその規格が定められていないため、分割されたデータストリームを管理できなくなる問題がある。データサイズが４Ｇバイトを越えた場合であってもデータストリームを分割せずにデータストリリーム管理できるデータ記録方式、データ記録装置、データ記録媒体及びデータ再生装置の開発が要望されている。
【０００４】
この発明は、上述のような事情に鑑みなされたものであって、その目的は、データが所定容量を越える大容量データであってもデータを分割することなしにそのデータを管理情報とともに記録することができる記録方法を提供するにある。
【０００５】
また、この発明の目的は、データが所定容量を越える大容量データであってもそのデータ分割することなしにデータを管理情報とともに記録することができる記録装置を提供するにある。
【０００６】
更に、この発明の目的は、データが所定容量を越える大容量データであっても管理情報に従ってそのデータを記録し、そのデータを再生することができる記録媒体を提供するにある。
【０００７】
更にまた、この発明の目的は、データが所定容量を越える大容量データであってもそのデータを管理情報に従って再生することができる再生方法及び再生装置を提供するにある。
【０００８】
【課題を解決するための手段】
この発明によれば、
ディジタル再生データを生成する再生データ生成工程と、
生成された再生データを所定のフォーマットに従ってファイルデータに編集するデータ編集工程と、
このファイルデータの記録位置及びそのサイズに関する管理情報を生成する工程であって、前記ファイルのサイズが所定値内にある際には、そのサイズが記述される第１のファイルサイズ記述情報及びファイルサイズがゼロである旨が記述される第２のファイルサイズ記述情報を作成し、前記ファイルのサイズが所定値を越える場合には、その所定値のサイズが記述される第１のファイルサイズ記述情報及び所定値を越えた差分に相当するファイルサイズが記述される第２のファイルサイズ記述情報を管理情報として作成する管理情報生成工程と、
管理情報及びファイルデータを記録媒体の異なる領域に記録する工程と、
を具備することを特徴とする管理情報とともにデータを記録する記録方法が提供される。
【０００９】
また、この発明によれば、
ディジタル再生データを生成する再生データ生成手段と、
生成された再生データを所定のフォーマットに従ってファイルデータに編集するデータ編集手段と、
このファイルデータの記録位置及びそのサイズに関する管理情報を生成する手段であって、前記ファイルのサイズが所定値内にある際には、そのサイズが記述される第１のファイルサイズ記述情報及びファイルサイズがゼロである旨が記述される第２のファイルサイズ記述情報を作成し、前記ファイルのサイズが所定値を越える場合には、その所定値のサイズが記述される第１のファイルサイズ記述情報及び所定値を越えた差分に相当するファイルサイズが記述される第２のファイルサイズ記述情報を管理情報として作成する管理情報生成手段と、
管理情報及びファイルデータを記録媒体の異なる領域に記録する記録手段と、
を具備することを特徴とする管理情報とともにデータを記録する記録装置が提供される。
【００１０】
更に、この発明によれば、
再生データをファイルの形式で格納した第１記録領域及び前記ファイルに関する管理情報を格納する第２記録領域であって、前記ファイルのサイズが記述される第１のファイルサイズ記述欄及び第２の記述欄を有し、前記ファイルのサイズが所定値内にある際には、第１記述欄には、そのサイズが記述されるとともに第２記述欄には、ファイルサイズがゼロである旨が記述され、前記ファイルのサイズが所定値を越える場合には、第１記述欄には、その所定サイズが記述されるとともに第２記述欄には、所定値を越えた差分に相当するファイルサイズが記述される第２の記録領域を備える記録媒体と、
第２記録領域から管理情報を読み出し、この管理情報に基づいてファイルを読み出す手段と、読み出されたファイルから連続的にデータを再現する再現手段と、
を具備することを特徴とする管理情報に従ってデータを再生する再生装置が提供される。
【００１２】
【作用】
本発明によれば、映像、音声等からなる膨大なサイズのデジタルデータであっても、データ間の関連性を失うことなく一括して管理、制御でき、データサイズによる制約を受けない連続した再生出力を提供することが可能になる。
【００１３】
【実施例】
以下、この発明の発明の管理情報に従ってデータを記録する記録方法、管理情報に従ってデータを記録する記録装置、管理情報がデータと共に記録された記録媒体及び管理情報に従ってデータを再生する再生装置の実施例を図面を参照して詳細に説明する。
【００１４】
図１は、この発明の再生装置の一実施例に係る光ディスクからデータを再生する光ディス再生装置のブロックを示し、図２は、図１に示された光ディスクをドライブするディスクドライブ部のブロックを示し、図３は、図１及び図２に示した記録媒体としての光デスクの構造を示している。
【００１５】
図１に示す光ディスク再生装置においては、ユーザがキー操作部及び表示部４を操作することによって光ディスク１０から記録データ、即ち、映像データ、副映像データ及び音声データが再生され、装置内でオーディオ信号及びビデオ信号に変換されて装置外のモニタ部６及びスピーカー部８で映像及び音声として再現される。即ち、光ディスク再生装置では、システムＣＰＵ部５０からはディスクドライブ部３０に目的のアドレスとリード命令が送られ、ディスクドライブ部３０は、この送られた命令に従って、光ディスクより目的のデータを読み出し、システムプロセッサ部５０に読みだしたデータパックを送る。このシステムプロセッサ５０は、読出したデータパックをデータＲＡＭ部５６に一旦記憶し、その後、データの種類に応じて、映像データをビデオデコーダ部５８へ、音声データをオーディオデコーダ部６０へ、副映像データを副映像デコーダ部６２へ夫々転送する。これによりデータ処理が実行されてモニタ部６及びスピーカ部８でに音声字幕付きの動画が再生出力される。
【００１６】
既に知られるように光ディスク１０は、種々の構造があるが、図３に示すように、例えば、透明基盤１４上に記録層、即ち、光反射層１６が形成された構造体１８が一対用意され、この一対の構造体１８が記録層１６がその内部に封じ込まれるように接着層２０を介して張り合わされる高記録密度のタイプが出現している。このような構造の光ディスク１０では、その中心にスピンドルモータ１２のスピンドルが挿入される中心孔２２が設けられ、その中心孔２２の周囲には、この光ディスク１０をその回転時に押さえる為のクランピング領域２４が設けられている。コのような光ディスクには、ＭＰＥＧ圧縮された動画をはじめ、音声、副映像等の各種のデータが、ＭＰＥＧ２のシステムレイヤに対応した後に詳述するようなデータフォーマットで記録されている。ここで、副映像は、文字や簡単なアニメーションのデータをランレングス圧縮して光ディスク１０に記録されている。
【００１７】
このクランピング領域２４から光ディスク１０の外周端までが光ディスク１０に情報を記録することができる情報記録領域２５に定められている。図３に示す光ディスクでは、その両面に情報記録領域２５を有することとなる。各情報記録領域２５は、その外周領域が通常は情報が記録されないリードアウト領域２６に、また、クランピング領域２４に接するその内周領域が同様に、通常は情報が記録されないリードイン領域２７に定められ、更に、このリードアウト領域２６とリードイン領域２７の間がデータ記録領域２８に定められている。情報記録領域２５の記録層１６には、通常、データが記録される領域としてトラックがスパイラル状に連続して形成され、その連続するトラックは、複数のセクタに分割され、このセクタを基準にデータが記録されている。情報記録領域２５のデータ記録領域２８は、実際のデータ記録領域であって、後に説明するように管理データ、主画像データ、副画像データ及び音声データが同様にピット等の物理的状態変化として記録されている。読み出し専用の光ディスク１０では、透明基板１４にピット列が予めスタンパーで形成され、このピット列が形成された透明基板１４の面に反射層が蒸着により形成され、その反射層が記録層１４として形成されることとなる。また、この読み出し専用の光ディスク１０では、通常、トラックとしてのグルーブが特に設けられず、ピット列がトラックとして定められている。
【００１８】
このような光ディスク１０からデータを再生する光ディスク再生装置においては、光ディスクをドライブするディスクドライブ部３０で光ディスク１０が光ビームで検索される。即ち、図２に示すように、光ディスク１０は、モータ駆動回路１１によって駆動されるスピンドルモータ１２上に載置され、このスピンドルモータ１２によって回転されている。光ディスク１０の下方には、この光ディスク１０に光ビーム、即ち、レーザビームを集光する光ヘッド、即ち、光ピックアップ３２が設けられている。この光ヘッド３２は、情報記録領域２５、特に、データ記録領域２８を検索する為にその光ディスク１０の半径方向に移動可能にガイド機構（図示せず。）に載置され、駆動回路３７からの駆動信号によって駆動されるフィードモータ３３で光ディスク１０の半径方向に移動される。光ディスク１０には、対物レンズ３４がその光軸に沿って移動可能に保持され、フォ―カス駆動回路３６からの駆動信号に応答してその光軸方向に移動され、常にフォ―カス状態に対物レンズ３４が維持され、微小ビームスポットが記録層１６上に形成される。また、この対物レンズ３４は、光ディスク１０の半径方向に沿って微動可能に保持され、トラック駆動回路３８からの駆動信号に応答して微動され、常にトラッキング状態に維持されて光ディスク１０の記録層１６上のトラックが光ビームで追跡される。
【００１９】
光ヘッド３２では、光ディスク１０から反射された光ビームが検出され、検出されたこの検出信号は、光ヘッド３２からヘッドアンプ４０を介してサーボ処理回路４４に供給されている。サーボ処理回路４４では、検出信号からフォ―カス信号、トラッキング信号及びモータ制御信号を生成し、これらの信号を夫々駆動回路３６、３８、１１に供給している。従って、対物レンズ３４がフォ―カス状態及びトラッキング状態に維持され、また、スピンドルモータ１２が所定の回転数で回転され、光ビームによって記録層１６上のトラックが光ビームで、例えば、線速一定で追跡される。システムＣＰＵ部５０からアクセス信号としての制御信号がサーボ処理回路４４に供給されると、サーボ処理回路４４から移動信号が駆動回路３７に供給され、光ヘッド３２が光ディスク１０の半径方向に沿って移動され、記録層１６の所定のセクタがアクセスされ、再生データがヘッドアンプ４０で増幅されてディスクドライブ部３０から出力される。出力された再生データは、システム用ＲＯＭ及びＲＡＭ部５２に記録されたプログラムで制御されるシステムＣＰＵ部５０及びシステムプロセッサ部５４を介してデータＲＡＭ部５６に格納される。この格納された再生データは、システムプロセッサ部５４によって処理されてビデオデータ、オーディオデータ及び副映像データに分類され、ビデオデータ、オーディオデータ及び副映像データは、夫々ビデオデコーダ部５８、オーディオデコーダ部６０及び副映像デコーダ部６２に出されてデコードされる。デコードされたビデオデータ、オーディオデータ及び副映像データは、Ｄ／Ａ及び再生処理回路６４でアナログ信号としてのビデオ信号、オーディオ信号及び副映像信号に変換されるとともにミキシング処理されてビデオ信号及び副映像信号がモニタ６に、また、オーディオ信号がスピーカ８に夫々供給される。その結果、モニタ部６に映像が表示されるとともにスピーカ部８から音声が再現される。図１に示す光ディスク装置の詳細な動作については、次に説明する光ディスク１０の論理フォーマットとともに後により詳細に説明する。
【００２０】
図１に示される光ディスク１０のリードインエリア２７からリードアウトエリア２６までのデータ記録領域２８は、論理フォーマットとしてＩＳＯ９６６０に準拠した図４に示されるようなボリューム構造を有している。このボリューム構造は、階層構造のボリューム管理情報領域７０及びファイル領域８０から構成されている。ボリューム管理情報領域７０は、ＩＳＯ９６６０に準拠して定められた論理ブロック番号０から２３までが相当し、システム領域７２及びボリューム管理エリア７４が割り付けられている。システム領域７２は、通常は空き領域として内容は規定されていないが、例えば、光ディスク１０に記録するデータを編集する編集者の為に設けられ、編集者の意図に応じた光ディスク装置の駆動を実現する為のシステムプログラムが必要に応じて格納される。また、ボリューム管理領域７４には、下後に詳述するようにファイル領域８０のディスク情報ファイル７６（以下、単にディスク情報ファイル７６と称する。）、ムービファイル或いはミュージックファイル等のファイル７８を管理するボリューム管理情報、即ち、全のファイルの記録位置、記録容量及びファイル名等が格納されている。ファイル領域８０には、論理ブロック番号２４以降の論理ブロック番号で指定されるファイル番号０からファイル番号９９までのファイル７６、７８が配置され、ファイル番号０のファイル７６がデスク情報ファイル７６として割り付けられ、ファイル番号１からファイル番号９９までのファイル７８がムービーファイル、即ち、映像ファイル、又はミュージックファイルとして割り付けられている。
【００２１】
図５に示されるようにボリューム管理領域７４のボリューム管理情報エリア７４には、論理ブロック番号１６に相当する基本ボリューム記述子（ＰＶＤ）が記述されたエリア７１、論理ブロック番号１７に相当するボリューム記述子集合終端子（ＶＤＴ）が記述されたエリア７３、論理ブロック番号１８及び論理ブロック番号１９に相当するバステーブルレコードが記述されたエリア７５及び論理ブロック番号２０から論理ブロック番号２３に相当するディレクトリレコードが記述されたエリア７７が配置されている。基本ボリューム記述子には、光ディスク１０のボリューム空間を記述し、ボリュームの属性、ルートディレクトリの位置、パステーブル群の位置及びボリューム集合中のボリューム数を指定する情報が記述され、この記述情報によりパステーブル及びディレクトリ等がアクセスされる。ボリューム記述子集合終端子（ＶＤＴ）には、記録されたボリューム記述子の集合が終了する記述子等が記述される。バステーブルレコード（ＰＴ）には、各ディレクトリの位置とその階層構造に関する情報が記述され、この記述によりファイルを効率的に取り扱う為にディレクトリの階層の深い所に配置されたファイルも検索するすることができる。ディレクトリレコードには、各ファイルの位置及び大きさ等に関する情報が記述されている。このディレクトリレコードでは、ディレクトリもファイルとして取り扱われ、ルートディレクトリ、ファイル番号０に相当するディスク情報ファイルのディレクトリ、ファイル番号１番以降にのファイルに相当するムービファイル及びミュージックファイルのディレクトリ等のファイルのディレクトリに関するレコード、即ち、情報が記述されている。
【００２２】
このディレクトリレコードの内容が図６に示されている。このディレクトリレコードの内容は、ディレクトリ内の各ファイルに対して設定され、ファイルの数だけ連続して記述されている。図６においては、ディレクトリレコード中のバイト位置（ＢＰ）に対する欄の名前及びその内容が記述されている。
【００２３】
ディレクトリレコード長さの欄には、ディレクトリレコードのバイト数が指定され、拡張属性レコードの長さの欄には、拡張属性レコードを記録した際にその長さがバイト数で指定され、エクステント位置の欄には、ファイルの開始位置が論理ブロック番号で記述される。データ長の欄には、ファイルのデータ長が記述され、後に詳述するようにバイト位置（ＢＰ）１１から１８に記述できないサイズ（４Ｇバイト）を越える場合には、ＩＳＯ９６６０において定められたディレクトリレコードの記述におけるシステム用の欄をも利用してデータ長が記述される。記録日付及び時刻の欄には、ディレクトリレコードによって記述されるエクステントに相当するファイル内の情報を記録した日付及び時刻が指定される。ファイルフラッグの欄には、ファイルがディレクトリ或いはファイルに相当するか等の情報が記述されている。また、ファイルユニットの大きさ及びインタリーブ間隙の大きさの欄には、インタリーブモード及びノンインタリーブモードでの記録に関連した記録モードの種別、インタリーブモードでのファイルユニットの大きさ及びインタリーブ間隙の大きさが記述され、ボリュームの順序番号の欄には、このディレクトリレコードで記述されるファイルが記録されるボリュームのボリューム集合内の順序番号が記述される。ファイル識別子の長さの欄には、ディレクトリレコードのファイル識別子のバイト数が指定され、ファイル識別子の欄には、ファイル及びディレクトリに対する識別子が指定され、この識別子は、ファイルフラグ欄のディレクトリビットの値に従って解釈される。この実施例においては、ファイル識別子として高密度記録可能な光ディスクのファイルである旨の識別子が記載される。更に、埋め込みの欄には、ファイル識別子の欄の長さが偶数である場合にだけ、ディレクトリに対して設けられる。これらの欄及び内容は、ルートディレクトリレコード、ディスク情報ファイルのディレクトリレコード、ムービファイル及びミュージックファイルのディレクトリ等のファイルのディレクトリレコードに共通して設けられている。
【００２４】
ディスク情報ファイルのディレクトリレコード及びムービファイル及びミュージックファイルのディレクトリ等のファイルのディレクトリレコードには、更にＩＳＯ９６６０において定められたディレクトリレコードの記述におけるシステム用の欄に相当する拡張データ長の欄及び拡張ファイル識別子の欄が設けられている。
【００２５】
通常、ファイルサイズは、このディレクトリレコードのデータ長の欄（１１バイト目〜１８バイト目までの８バイト）を使用して両バイト順で表現される。両バイト順とは、１６進表現で（ｓｔ  ｕｖ  ｗｘ  ｙｚ）  の数値を（ｙｚ  ｗｘ  ｕｖ  ｓｔ  ｓｔ  ｕｖ  ｗｘ  ｙｚ）  と表記する形式である。即ち、ここでファイルサイズとして表現できるのは４バイトで表される最大値ＦＦＦＦＦＦＦＦｈバイト（４，  ２９４，  ９６７，  ３９５バイト）である。
【００２６】
この発明の記録方法の実施例では、ディレクトリレコード自身の長さを４０ｈ（６４バイト）と規定し、ファイル識別子の長さを０Ｅｈ（１４バイト）に規定しているため、４９バイト目〜６４バイト目までの１６バイトがＩＳＯ９６６０において定められたディレクトリレコードの記述におけるシステム用と呼ばれていた部分に相当することになる。この部分の上位８バイトを拡張データ長記述エリアとし、ファイルサイズが上記データ長記述エリアに記述可能な範囲を越える場合に使用する。拡張データ長記述エリアへの記述形式は、前記データ長記述エリアと同様両バイト順であり、ファイルサイズとデータ長記述エリアに記述可能なサイズの差分（ファイルサイズ−ＦＦＦＦＦＦＦＦｈ）が記述される。また、ファイルサイズがＦＦＦＦＦＦＦＦｈバイト以下の場合、拡張データ長記述エリアは、全バイト００ｈが記述されている。この一箇所の拡張データ長記録エリアだけでは管理できないファイルの場合（ファイルサイズが８Ｇバイトを越える場合）、ＩＳＯに規定されるシステム用領域を拡張し、新たな拡張データ長記述エリア及び拡張ファイル識別子を追加すれば、１２Ｇバイト、１６Ｇバイト…というように管理可能なファイルサイズを拡大することができる。ここで、拡張ファイル識別子には、ファイル識別子と同様の識別子が付される。
【００２７】
デスク情報ファイル７６は、図７に示されるようにファイル管理情報エリア８２及びメニュー映像データエリア８４から構成され、ファイル管理情報エリア８２には、光デスク１０の全体に記録されている選択可能なシーケンス、即ち、ビデオ又はオーディオのタイトルを選択するためのファイル管理情報が記述されている。また、メニュー映像データエリア８４には、タイトル等の選択メニューを表示する為のメニュー画面の画像データがセル単位のメニューデータセル９０として格納されている。即ち、メニュー映像用データエリア８４のメニュー映像データは、後に詳述するように、目的に応じて必要な大きさの単位に区切られ、ディスク１０のメニュー映像データエリア８４への記録順に＃１から連続して番号が割り付けられたｉ個のメニューセル９０として定められている。このメニューセル９０には、ムービー或いはオーディオのタイトル、各タイトルのプログラムに関する映像データ、副映像データ、或いは、オーディオデータが格納されている。
【００２８】
図７に示されるようにファイル管理情報エリア８２は、ディスク構成情報（ＤＳＩＮＦ：  Ｄｉｓｃ  Ｓｔｒｕｃｔｕｒｅ  Ｉｎｆｏｒｍａｔｉｏｎ）を格納するディスク構成情報エリア８６、メニュー構成情報（ＭＳＩＮＦ：  Ｍｅｎｕ  Ｓｔｒｕｃｔｕｒｅ  Ｉｎｆｏｒｍａｔｉｏｎ）を格納するメニュー構成情報エリア８７、セル情報を格納するセル情報テーブル（ＭＣＩＴ：  Ｍｅｎｕ  Ｃｅｌｌ  Ｉｎｆｏｒｍａｔｉｏｎ  Ｔａｂｌｅ  ）８８の３種類の情報領域があり、この順序で配列されている。
【００２９】
ディスク構成情報エリア８６には、主にディスク１０のファイル領域８０に記録されているムービファイル及びミュージックファイル、即ち、再生ファイル７８の数（パラメータＤＳＩＮＦとして１から９９の範囲内で記述される。）、個々のファイル７８内に存在するシーケンス（ビデオ、オーディオ及び副映像等を含む映像データの一連のデータ群を称する。）の数、即ち、タイトルの数（パラメータＦＳＩＮＦとして記述される。）等の情報が記述される。
【００３０】
メニュー構成情報エリア８７には、このディスク情報ファイル７６内に記録されているメニュー映像用データエリア８４のメニューセル９０の数（パラメータＮＯＭＣＥＬとして記述される。）、ディスク内に存在するタイトルを選択するための一連のメニュー映像用データを構成するタイトルメニューセル９０の開始セル番号（パラメータＴＭＳＣＥＬとして記述される。）等の情報が記述されている。
【００３１】
メニューセル情報テーブル８８には、各メニューセル９０の再生に必要なセル情報がセル番号順に記述されたｉ個のセル情報エリア８９の集合に規定されている。このセル情報テーブル８８には、ファイル７６内のセル９０の位置（パラメータＭＣＳＬＢＮとしてファイル先頭からのオフセット論理ブロック番号で記述される。）、サイズ（パラメータＭＣＮＬＢとして論理ブロック数で記述される。）等の情報が記述されている。ここで、ディスク構成情報（ＤＳＩＮＦ）及びメニュー構成情報（ＭＳＩＮＦ）は、ファイル管理情報エリア８２に連続して記述され、メニューセル情報テーブル（ＭＣＩＴ）８８は、論理ブロックの境界にアライメントされている。
【００３２】
１又は複数タイトルのミュージックデータ或いはムービーデータがファイル番号１からファイル番号９９までに相当するムービーファイル及びミュージックファイル７８に格納されている。このファイル７８は、夫々図８に示すように当該ファイル７８に含まれるデータに対する諸元情報、即ち、管理情報（例えば、アドレス情報及び再生制御情報等）が記述されているファイル管理情報エリア１０１及び当該ファイル７８の映像データ（ビデオ、オーディオ及び副映像データ等を単に映像データと称する。）が記述されている映像用データエリア１０２から構成されるファイル構造を有している。映像用データエリア１０２には、デスク情報ファイル７６のメニューセル９０と同様に映像データがセル単位に分割され、映像データがｊ個の映像用データセル１０５として配列されている。
【００３３】
図８に示すようにファイル管理情報エリア１０１は、ファイル管理テーブル（ＦＭＴ：    Ｆｉｌｅ  Ｍａｎａｇｅｍｅｎｔ  Ｔａｂｌｅ）１１３、シーケンス情報テーブル（ＳＩＴ：    Ｓｅｑｕｅｎｃｅ  Ｉｎｆｏｒｍａｔｉｏｎ  Ｔａｂｌｅ  ）１１４、セル情報テーブル（ＣＩＴ：    Ｃｅｌｌ  Ｉｎｆｏｒｍａｔｉｏｎ  Ｔａｂｌｅ  ）１１５等から構成される。映像用データエリア１０２の映像用データセルは、ディスクへの記録順に＃１から連続して番号が振り分けられ、このセル番号及びこのセル番号に関連させてセルに関する情報がセル情報テーブル１１５に記述されている。即ち、セル情報テーブル１１５には、映像用データセルの再生に必要な情報をセル番号順に記述したｊ個のセル情報（ＣＩ）が格納されるエリア１１７の集合に定められ、このセル情報（ＣＩ）には、ファイル７８内のセルの位置、サイズ、再生時間等の情報が記述されている。
【００３４】
シーケンス情報テーブル１１４は、シーケンス１０６毎に指定された範囲内のセル１０５を選択して再生する順序等を記述したｉ個のシーケンス情報（ＳＩ）が格納されるエリア１１６の集合に定められ、各シーケンス情報（ＳＩ）には、そのシーケンス１０６内に記録されている映像セル１０５の再生順序及び再生に関する再生制御情報が記述されている。このシーケンス１０６には、１シーケンスで完結する完結型シーケンス、１シーケンス毎に次のシーケンスに分岐接続される接続型シーケンスがあり、接続型シーケンスには、マルチストーリに相当するビデオデータの先頭シーケンスであって、このシーケンスから分岐して次のシーケンスに接続されることが可能な接続型先頭シーケンス、即ち、ストーリがその選択の仕方で変化する接続型先頭シーケンス、他の接続型シーケンスから分岐されて更に他のシーケンスに接続される接続型中間シーケンス、及び他の接続型シーケンスから接続され、そのシーケンスを終了する接続型終了シーケンス、即ち、このシーケンスでストーリが終了する接続型終了シーケンスがある。このシーケンス情報の番号は、シーケンス番号１からｉと定義され、夫々の開始位置情報は、ファイル管理情報テーブル１１３に書き込まれている。
【００３５】
ファイル管理テーブル（ＦＭＴ）１１３は、その映像ファイル７８に関する諸元情報を示している。このファイル管理テーブル１１３には、そのファイル名及び光ディスクが装填された光ディスク再生装置で再生可能なファイルか否かを識別する為のファイル識別子が記述されている。このファイル識別子には、例えば、ムービーファイルであることを識別するための識別子が記述されている。また、このファイル管理テーブル１１３には、シーケンス情報テーブル１１４及びセル情報テーブル１１５の開始アドレス及びそれぞれのテーブルに記述されるシーケンス情報及びセル情報の個数、さらに、シーケンス情報テーブル１１４の先頭からの相対距離で示されるに夫々のシーケンス１１６の開始アドレス及び映像用データエリア１０２の映像データを開始する為の開始アドレス、各データを再生するための情報としてのデータ属性等が記述されている。
【００３６】
次に、再び図１を参照して図４から図８に示す論理フォーマットを有する光ディスク１０からのムービーデータの再生動作について説明する。尚、図１においてブロック間の実線の矢印は、データバスを示し、破線の矢印は、制御バスを示している。
【００３７】
図１に示される光ディスク装置においては、電源が投入されると、システム用ＲＯＭ及びＲＡＭ５２からシステムＣＰＵ部５０は、初期動作プログラムを読み出し、デスクドライブ部３０を作動させる。従って、システムＣＰＵ部５０から光ディスクドライブ部３０に目的のアドレスとリード命令を送り、光ディスクドライブ部３０は、送られた命令に従って、光ディスク１０より目的のデータの読み出しを開始し、システムプロセッサ部５４に読みだしたデータパックを送ることとなる。即ち、ディスクドライブ部３０は、リードイン領域２７から読み出し動作を開始し、リードイン領域２７に続くボリューム管理領域７０のボリューム管理情報エリア７４からボリューム管理情報を読み出す。システムＣＰＵ部５０は、ディスクドライブ部３０にセットされたディスク１０の所定位置に記録されているボリューム管理情報エリア７４からボリューム管理情報を読み出す為に、ディスクドライブ部３０にリード命令を与え、ボリューム管理情報の内容を読み出し、システムプロセッサ部５４を介して、データＲＡＭ部５６に一旦格納する。システムＣＰＵ部５０は、データＲＡＭ部５６に格納されたボリューム管理情報のデータ列から各ファイルの記録位置や記録容量等の情報やその他管理に必要な情報を抜き出し、システム用ＲＯＭ＆ＲＡＭ部５２の所定の場所に転送し、保存する。このボリューム管理情報を読み出すステップにおいては、基本ボリューム記述子（ＰＶＤ）から読み出しの対象とされた光ディスク１０が高密度タイプの光ディスクであって、その記録された論理フォーマットの形式及びそのボリュームサイズ等のボリューム属性、ルートディレクトリの位置、パステーブル群の位置及びボリューム集合中のボリューム数等が認識される。この記述子に基づいて、図９を参照して説明するようにパステーブル及びディレクトリ等がアクセスされ、その後、ファイルがアクセスされる。
【００３８】
４Ｇバイトを越えるサイズのファイルを読み込む場合について、図９を参照して説明する。尚、この実施例において、光ディスクに記録されているファイルはすべてルートディレクトリ上にある。
【００３９】
始めにディスクのボリューム管理情報内の基本ボリュー記述子（ＰＶＤ）がデータＲＡＭ部５６へ読み込まれる（ステップＳ１）。システムＣＰＵ５０は、この基本ボリューム記述子の中のパステーブルレコードの位置を示した記述を読み、その位置を識別する（ステップＳ２）。この識別された位置より、パステーブルレコードがデータＲＡＭ部５６に読み込まれる（ステップＳ３）。ＣＰＵ５６は、このパステーブルレコードの中のディレクトリレコードの位置を示した記述を読み、ディレクトリレコードの位置を識別する（ステップＳ４）。その後、キー操作部及び表示部４からのファイルを指定するキー入力待ちとなる（ステップＳ５）。キー入力によって読み込みファイルが指定される（ステップＳ６）と、ステップＳ４で識別された位置からディレクトリレコードの読み込みが開始され、データＲＡＭ５６にそのディレクトリレコードが一旦記憶される（ステップＳ７）。ディレクトリレコード内のファイル識別子とステップＳ６のキー入力により指定されたファイル識別子とが比較され（ステップＳ８）、この比較の結果が一致しているか否かが確認される（ステップＳ９）。比較の結果が一致していなければ次のディレクトリレコードが読み込まれる（ステップＳ７）。比較の結果が一致していれば、そのディレクトリレコード内に記述されたファイルの先頭位置情報（３バイト目〜１０バイト目に記述されたエクステントの位置情報）とファイルのデータ長が読まれ、システム用ＲＯＭ＆ＲＡＭ部５２に記憶される（ステップＳ１０）。更に、同じディレクトリレコード内の拡張データ長が読み込まれ、同様にシステム用ＲＯＭ＆ＲＡＭ部５６に記憶される（ステップＳ１１）。システム用ＲＯＭ＆ＲＡＭ部５６に記憶されているファイルの位置情報、ファイルのデータ長及び拡張データ長を用いてファイルの読み込みが開始される（ステップＳ１２）。図９は、４Ｇバイトを越えるサイズのファイルを読み込む場合についての流れ図であるが、４Ｇバイトを越えないサイズのファイルを読み込む場合についても同様であってステップＳ１１において拡張データ長の記述が前バイト００ｈを読み込んでで拡張データがないと取り扱う点が異なっている。従って、その説明は、省略する。
【００４０】
上述のようにしてシステムＣＰＵ部５０は、次のようにシステム用ＲＯＭ＆ＲＡＭ部５２から、先に取得した各ファイルの記録位置や記録容量の情報を参照してファイル、例えば、メニューを表示する場合には、ファイル番号０番に相当するディスク情報ファイル７６を取得することとなる。システムＣＰＵ部５０は、システム用ＲＯＭ及びＲＡＭ部５２から、先に取得した各ファイルの記録位置や記録容量の情報を参照してディスクドライブ部３０に対してリード命令を与え、ファイル番号が０であるディスク情報ファイル７６のファイル管理情報を読み出し、システムプロセッサ部５４を介して、データＲＡＭ部５６に格納する。取得した情報を同様にシステム用ＲＯＭ＆ＲＡＭ部５２の所定の場所に転送し保存する。
【００４１】
システムＣＰＵ部５０は、ディスク情報ファイル７６のファイル管理情報のディスク構成情報８６、メニュー構成情報８７及びセル情報テーブル８８を利用して、メニュー映像用データ８４のシーケンス（タイトル）選択メニューを再生し、後述するように画面に表示する。
【００４２】
ユーザは、再生するシーケンス（タイトル）の選択を、表示されたメニュー画面に記された選択番号を基に、キー操作及び表示部４を用いて指定する。これにより選択したシーケンスの帰属するファイル番号及びシーケンス情報が特定される。
【００４３】
指定された映像用ファイル７８を取得し、映像用データ１０２を再生するまでの動作を次に説明する。指定されたシーケンス番号に対するシーケンス情報を取得するために、ボリューム管理情報７４から得た各映像用ファイル７８の記録位置及び記録容量を用いて、先ず、再生するシーケンスが帰属する映像用ファイル７８のファイル管理情報１０１を上記のディスク情報ファイル７６の時と同様に読み出し、データＲＡＭ部５６へ格納する。
【００４４】
システムＣＰＵ部５０は、データＲＡＭ部５６に格納したファイル管理情報１０１のシーケンス情報テーブル１１４から、指定されたシーケンス番号に対応するシーケンス情報を取得し、そのデータと、そのシーケンスを再生するために必要なセル情報テーブル１１５中のセル情報１１７をシステムＲＯＭ＆ＲＡＭ部５２へ転送し、格納する。
【００４５】
このように取得したシーケンス情報中のセル再生順序情報により、最初に再生するセル情報を取得し、このセル情報中の映像用データ再生開始アドレスとサイズをもとに、ディスクドライブ部３０に対し目的のアドレスからのリード命令が与えられる。ディスクドライブ部３０は、リード命令に従って光ディスク１０を駆動すると共に、光ディスク１０より目的のアドレスのデータを読み込んでシステムプロセッサ部５４に送る。システムプロセッサ部５４は、送られてきたデータをデータＲＡＭ部５６に一旦記憶し、そのデータに付加されているヘッダ情報を基にデータの種別（ビデオ、オーディオ、副映像、再生情報等）を判別し、判別した種類に応じたデコーダ部５８、６０、６２にデータを転送する。
【００４６】
各デコーダ部５８、６０、６２はそれぞれのデータフォーマットに従ってデータをデコードし、Ｄ／Ａ＆再生処理部６４に送る。Ｄ／Ａ＆再生処理部６４は、デコード結果のディジタル信号をアナログ信号に変換し、ミキシング処理を施して、モニタ部６、スピーカ部８に出力する。
【００４７】
尚、データの種別の判別過程では、データが映像用データの再生位置等を示す再生情報の場合には、この再生情報はデコーダへは転送されず、この再生データは、データＲＡＭ部５６に格納される。この再生情報は、システムＣＰＵ部５０によって必要に応じて参照されて映像データを再生する際の監視に利用される。また、１つのセルの再生が終了すると、次に再生するセル情報がシーケンス情報中のセル再生順序情報から取得し、同様にして再生が続けられる。
【００４８】
次に、図１０及び図１５を参照して図４から図８に示す論理フォーマットで映像データ及びこの映像データを再生するための光ディスク１０への記録方法及びその記録方法が適用される記録システムについて説明する。
【００４９】
図１０は、映像データをエンコーダして映像ファイルを生成するエンコーダシステムが示されている。図１０に示されるシステムにおいては、主映像データ、オーディオデータ及び副映像データのソースとして、例えば、ビデオテープレコーダ（ＶＴＲ）２０１、オーディオテープレコーダ（ＡＴＲ）２０２及び副映像再生器（Ｓｕｂｐｉｃｔｕｒｅ  ｓｏｕｒｃｅ  ）２０３が採用される。これらは、システムコントローラ（Ｓｙｓ  ｃｏｎ  ）２０５の制御下で主映像データ、オーディオデータ及び副映像データを発生し、これらが夫々ビデオエンコーダ（ＶＥＣ）２０６、オーディオエンコーダ（ＡＥＮＣ）２０７及び副映像エンコーダ（ＳＰＥＮＣ）２０８に供給され、同様にシステムコントローラ（Ｓｙｓ  ｃｏｎ  ）２０５の制御下でこれらエンコーダ２０６、２０７、２０８でＡ／Ｄ変換されると共に夫々の圧縮方法でエンコードされ、エンコードされた主映像データ、オーディオデータ及び副映像データ（Ｃｏｍｐ  Ｖｉｄｅｏ，  Ｃｏｍｐ  Ａｕｄｉｏ，  Ｃｏｍｐ  Ｓｕｂ−ｐｉｃｔ  ）としてメモリ２１０、２１１、２１２に格納される。この主映像データ、オーディオデータ及び副映像データ（Ｃｏｍ  Ｖｉｄｅｏ，  Ｃｏｍｐ  Ａｕｄｉｏ，  Ｃｏｍｐ  Ｓｕｂ−ｐｉｃｔ）は、システムコントローラ（Ｓｙｓ  ｃｏｎ  ）２０５によってファイルフォーマッタ（ＦＦＭＴ）２１４に出力され、既に説明したようなこのシステムの映像データのファイル構造に変換されるとともに各データの設定条件及び属性等の情報がファイルとしてシステムコントローラ（Ｓｙｓ  ｃｏｎ  ）２０５によってメモリ２１６に格納される。
【００５０】
以下に、映像データからファイルを作成するためのシステムコントローラ（Ｓｙｓ  ｃｏｎ  ）２０５におけるエンコード処理の標準的なフローを説明する。
【００５１】
図１１に示されるフローに従って主映像データ及びオーディオデータがエンコードされてエンコード主映像及びオーディオデータ（Ｃｏｍｐ  Ｖｉｄｅｏ，  Ｃｏｍｐ  Ａｕｄｉｏ）  のデータが作成される。即ち、エンコード処理が開始されると、図１１のステップ７０に示すように主映像データ及びオーディオデータのエンコードにあたって必要なパラメータが設定される。この設定されたパラメータの一部は、システムコントローラ（Ｓｙｓ  ｃｏｎ  ）２０５に保存されるとともにファイルフォーマッタ（ＦＦＭＴ）２１４で利用される。ステップＳ７１で示すようにパラメータを利用して主映像データがプリエンコードされ、最適な符号量の分配が計算される。ステップＳ７２に示されるようにプリエンコードで得られた符号量分配に基づき、主映像のエンコードが実行される。このとき、オーディオデータのエンコードも同時に実行される。ステップＳ７３に示すように必要であれば、主映像データの部分的な再エンコードが実行され、再エンコードした部分の主映像データが置き換えられる。この一連のステップによって主映像データ及びオーディオデータがエンコードされる。また、ステップＳ７５及びＳ７６に示すように副映像データがエンコードされエンコード副映像データ（Ｃｏｍｐ  Ｓｕｂ−ｐｉｃｔ）  が作成される。即ち、副映像データをエンコードするにあたって必要なパラメータが同様に設定される。ステップＳ７５に示すように設定されたパラメータの一部がシステムコントローラ（Ｓｙｓ  ｃｏｎ  ）２０５に保存され、ファイルフォーマッタ（ＦＦＭＴ）２１４で利用される。このパラメータに基づいて副映像データがエンコードされる。この処理により副映像データがエンコードされる。
【００５２】
図１２に示すフローに従って、エンコードされた主映像データ、オーディオデータ及び副映像データ（Ｃｏｍ  Ｖｉｄｅｏ，  Ｃｏｍｐ  Ａｕｄｉｏ，  Ｃｏｍｐ  Ｓｕｂ−ｐｉｃｔ）が組み合わされて図６を参照して説明したような映像データのファイル構造に変換される。即ち、ステップＳ７６に示すように映像データの最小単位としてのセル１０５が設定され、セル情報テーブル（ＣＩＴ）１１７が作成される。次に、ステップ７７に示すようにシーケンス１０７を構成するセル１１７の構成、主映像、副映像及びオーディオ属性等が設定され（これらの属性情報の一部は、各データエンコード時に得られた情報が利用される。）、セル情報テーブル（ＣＩＴ）１１７を含めたファイル管理情報（ＦＭＩ）が作成される。エンコードされた主映像データ、オーディオデータ及び副映像データ（Ｃｏｍ  Ｖｉｄｅｏ，  Ｃｏｍｐ  Ａｕｄｉｏ，  Ｃｏｍｐ  Ｓｕｂ−ｐｉｃｔ）  が一定のパックに細分化され、各データのタイムコード順に再生可能なように、１ＧＯＰ単位毎に制御パック（ＤＳＩ）９２を挿入するしながら各データセルが配置されて図５及び図６に示すようなディスク情報ファイル７６及びムービファイル等のファイル７８の構造にフォーマットされる。
【００５３】
尚、図１２に示したフローにおいて、シーケンス情報は、ステップ７７の過程で、システムコントローラ（Ｓｙｓ  ｃｏｎ  ）２０５のデータベースを利用したり、或いは、必要に応じてデータを再入力する等を実行し、シーケンス情報テーブル（ＳＩＴ）１１３に記述される。
【００５４】
図１３は、上述のようにフォーマットされたファイル７６、７８を光ディスクへ記録するためのディスクフォーマッタのシステムを示したいる。図１３に示すようにディスクフォーマッタシステムでは、作成された情報ファイル７６及びムービファイル等のファイル７８が格納されたメモリ２２０、２２２からこれらファイルデータがボリュームフォーマッタ（ＶＦＭＴ）２２６に供給される。ボリュームフォーマッタ（ＶＦＭＴ）２２６では、ファイル７６、７８に加えて更にディスクのボリューム情報７４が図４に示す配列順序で加えられてディスク１０に記録されるべき状態の論理データが作成される。このときファイルのボリュームが４Ｇを越える場合には、ディレクトリレコードの拡張データ長に越えたファイルのサイズが記述されると共に拡張ファイル識別子が付される。必要であれば、更に、拡張データ長及び拡張ファイル識別子を更に記述して４Ｇを越えるファイルのサイズに関する記述を記載することができる。ボリュームフォーマッタ（ＶＦＭＴ）２２６で作成された論理データにエラー訂正用のデータがディスクフォーマッタ（ＤＦＭＴ）２２８において付加され、ディスクへ記録する物理データに再変換される。変調器（Ｍｏｄｕｌａｔｅｒ  ）２３０において、ディスクフォーマッタ（ＤＦＭＴ）２２８で作成された物理データが実際にディスクへ記録する記録データに変換され、この変調処理された記録データが記録器（Ｒｅｃｏｄｅｒ）  ２３２によってディスク１０に記録される。
【００５５】
上述したディスクを作成するための標準的なフローを図１４及び図１５を参照して説明する。図１４には、ディスク１０に記録するための論理データが作成されるフローが示されている。即ち、ステップＳ８０で示すように映像データファイルの数、並べ順、各映像データファイル大きさ等のパラメータデータが始めに設定される。次に、ステップ８１で示すように設定されたパラメータと各映像データファイルのファイル管理情報からボリューム情報が作成される。その後、ステップ８２に示すように拡張データ長及びファイル識別子を含むボリューム情報、映像データファイルの順にデータが該当する論理ブロック番号に沿って配置され、ディスク１０に記録するための論理データが作成される。
【００５６】
その後、図１５に示すようなディスクへ記録するための物理データを作成するフローが実行される。即ち、ステップＳ８３で示すように論理データが一定バイト数に分割され、エラー訂正用のデータが生成される。次にステップＳ８４で示すように一定バイト数に分割した論理データと、生成されたエラー訂正用のデータが合わされて物理セクタが作成される。その後、ステップＳ８５で示すように物理セクタが合わせて物理データが作成される。
【００５７】
このように図２５に示されたフローで生成された物理データに対し、一定規則に基づいた変調処理が実行されて記録データが作成される。その後、この記録データがディスク１０に記録される。
【００５８】
【発明の効果】
以上で説明したように、この発明のファイル管理方式によれば、サイズが４Ｇバイトを越える大容量ファイルであっても２つ以上のファイルに分割する必要がなく、また１つのデータストリームとして再生制御可能となるため、長時間連続再生及び早送り再生、巻き戻し再生といった特殊再生にも耐えることができる。ディレクトリレコード内のシステム用領域をさらに拡張し、新たな拡張データ長記述エリアを最下すれば、１２Ｇバイト、１６Ｇバイト…というように管理可能なファイルサイズを拡大することができる。
【図面の簡単な説明】
【図１】光ディスク装置の概略を示すブロック図である。
【図２】図１に示したディスクドライブ装置の詳細を示すブロック図である。
【図３】図１に示した光ディスクの構造を概略的に示す斜視図である。
【図４】図３に示す光ディスクの論理フォーマットの構造を示す説明図である。
【図５】図４に示されるボリューム管理情報領域の構造を示す説明図である。
【図６】図５に示されるディレクトリレコードの内容を示す図である。
【図７】図４に示されるデスク情報ファイルの構造を示す説明図である。
【図８】図４に示されるムービーファイル及びミュージックファイル等のファイルの構造を示す説明図である。
【図９】図５に示されるディレクトリレコードの内容を読み込んでファイルを読み込む動作を説明するフローチャートである。
【図１０】映像データをエンコーダして映像ファイルを生成するエンコーダシステムを示すブロック図である。
【図１１】図１０に示されるエンコード処理を示すフローチャートである。
【図１２】図１１に示すフローでエンコードされた主映像データ、オーディオデータ及び副映像データを組み合わせて映像データのファイルを作成するフローチャートである。
【図１３】フォーマットされた映像ファイルを光ディスクへ記録するためのディスクフォーマッタのシステムを示すブロック図である。
【図１４】図１３に示されるディスクフォーマッタにおけるディスクに記録するための論理データを作成するフローチャートである。
【図１５】論理データからディスクへ記録するための物理データを作成するフローチャートである。
【符号の説明】
６  …  モニタ部
８  …  スピーカ部
１０  …  光ディスク
１４  …  透明基盤
１６  …  光反射層
２８  …  データ記録領域
３０  …  ディスクドライブ部
３２  …  光ピックアップ
３４  …  対物レンズ
３６  …  フォ―カス駆動回路
３７  …  駆動回路
４４  …  サーボ処理回路
５０  …  システムＣＰＵ
５４  …  システムプロセッサ部
５６  …  データＲＡＭ部
５８  …  ビデオデコーダ部
６０  …  オーディオデコード部
６２  …  副映像デコーダ部
６４  …  Ｄ／Ａ及び再生処理回路
７０  …  ボリューム管理情報領域
７２  …  システム領域
７４  …  ボリューム管理エリア
７６  …  ディスク情報ファイル
７８  …  ファイル
７１  …  基本ボリューム記述子エリア
７３  …  ボリューム記述子集合終端子エリア
７５  …  バステーブルレコードエリア
７７  …  ディレクトリレコードエリア７７
８０  …  ファイル領域
８２  …  ファイル管理情報エリア
８４  …  メニュー映像データエリア
８６  …  ディスク構成情報エリア
８７  …  メニュー構成情報エリア
８８  …  セル情報テーブル
９０  …  メニューデータセル
１０１  …  ファイル管理情報エリア
１０２  …  映像用データエリア
１１３  …  ファイル管理テーブル
１１４  …  シーケンス情報テーブル
１１５  …  セル情報テーブル
２０１  …  ビデオテープレコーダ
２０２  …  オーディオテープレコーダ
２０３  …  副映像再生器
２０５  …  システムコントローラ
２０６  …  ビデオエンコーダ
２０７  …  オーディオエンコーダ
２０８  …  副映像エンコーダ
２０５  …  システムコントローラ
２２０、２２２  …  メモリ
２２６  …  ボリュームフォーマッタ
２２８  …  ディスクフォーマッタ
２３０  …  変調器
２３２  …  記録器
【図１】
0003600308.tif 000002
【図２】
0003600308.tif 000003
【図３】
0003600308.tif 000004
【図４】
0003600308.tif 000005
【図５】
0003600308.tif 000006
【図６】
0003600308.tif 000007
【図７】
0003600308.tif 000008
【図８】
0003600308.tif 000009
【図９】
0003600308.tif 000010
【図１０】
0003600308.tif 000011
【図１１】
0003600308.tif 000012
【図１２】
0003600308.tif 000013
【図１３】
0003600308.tif 000014
【図１４】
0003600308.tif 000015
【図１５】
0003600308.tif 000016